(57)【特許請求の範囲】
【請求項１】
複数のコンクリートブロックを上下左右に目地材を介して積み重ね、左右に並ぶ前記コンクリートブロック間に鉄筋を配して形成される壁体と、
前記壁体の一部に組み込まれる取付枠と、
前記取付枠内に取り付けられる機能ユニットとを備え、
各コンクリートブロックは、左右の端部の一方又は両方に、凹部を有し、
前記取付枠は、
左右一対の縦枠と、上下一対の横枠とを有し、
左右一対の前記縦枠はそれぞれ、
左右方向の外側に向けて突出する複数の突出部を有し、
前記複数の突出部は、前後に離れて位置し、且つ少なくともその先部分が前記凹部内に位置し、
前後に隣接する前記突出部間に、前記鉄筋が配されることを特徴とする機能ユニットの取付構造。
【請求項２】
左右一対の前記縦枠は、それぞれの前後の端部に、左右方向の外側に向けて突出する突片を有することを特徴とする請求項１に記載の機能ユニットの取付構造。
【請求項３】
複数のコンクリートブロックを上下左右に目地材を介して積み重ね、左右に並ぶ前記コンクリートブロック間に鉄筋を配して形成される壁体と、
前記壁体の一部に組み込まれる取付枠と、
前記取付枠内に取り付けられる機能ユニットとを備え、
前記取付枠は、
左右一対の縦枠と、上下一対の横枠とを有し、
左右一対の前記縦枠はそれぞれ、
左右方向の外側に向けて突出する複数の突出部を有し、
前記複数の突出部は、前後に離れて位置し、
前後に隣接する前記突出部間に、前記鉄筋が配され、
前記突出部は、前記縦枠の一部を左右方向の外側に向けて突出するように折り曲げた形状であり、前記取付枠内に取り付けた前記機能ユニットと前記突出部との間に、電線を挿通可能な空間が設けられることを特徴とする機能ユニットの取付構造。
【請求項４】
上下一対の前記横枠の一方又は両方は、前記電線を挿通可能な貫通孔を有することを特徴とする請求項３に記載の機能ユニットの取付構造。
【発明の詳細な説明】
【技術分野】
【０００１】
本発明は、機能ユニットの取付構造に関し、特に、壁体に取付枠を組み込み、この取付枠内に郵便受け等の機能ユニットを取り付ける技術に関する。
【背景技術】
【０００２】
従来、コンクリートブロックで形成される門柱に孔を設け、この孔に郵便受箱を挿入し、その後、コンクリートブロックの外面にモルタルを被着して、郵便受箱を門柱に取り付ける取付構造が、特許文献１等によって提案されている。
【０００３】
特許文献１の取付構造では、モルタルの被着時に郵便受箱が汚れることを防ぐために、郵便受箱にマスキングを行う必要があり、施工に手間がかかる。また、特許文献１の取付構造では、郵便受箱を取り付けた後で、モルタルの被着等の仕上げ施工を行うため、郵便受箱の傷つきや破損が生じやすい。
【０００４】
この問題を解決可能なものとして、例えば、特許文献２には、ブロックの積み上げの際に取付枠を組み込んで門柱を形成し、その後、門柱の表面仕上げを施し、この仕上げ後に、郵便受けを含む機能ユニットを取付枠内に嵌装する取付構造が、提案されている。
【先行技術文献】
【特許文献】
【０００５】
【特許文献１】実公昭６３−２２１８０号公報
【特許文献２】実公昭５９−１９８６７号公報
【発明の概要】
【発明が解決しようとする課題】
【０００６】
上述した特許文献２の取付構造は、取付枠とブロックとの間に間隙が生じる場合に、この間にスペーサを介在させることによって、取付枠を門柱に組み込むものである。
【０００７】
つまり、特許文献２の取付構造は、取付枠とブロックとの間にモルタル等の目地材を充填しながら、取付枠を門柱に組み込むものではなく、各ブロックを目地材を介して積み上げるブロックの積み上げ施工と、取付枠を門柱に組み込む施工とが異なる施工であった。
【０００８】
本発明は、郵便受け等の機能ユニットが取り付けられる取付枠を、コンクリートブロックの積み上げと同様の施工で、コンクリートブロックで形成される壁体に組み込むことができる機能ユニットの取付構造を提案することを課題とする。
【課題を解決するための手段】
【０００９】
上記課題を解決するために本発明の機能ユニットの取付構造は、複数のコンクリートブロックを上下左右に目地材を介して積み重ね、左右に並ぶ前記コンクリートブロック間に鉄筋を配して形成される壁体と、前記壁体の一部に組み込まれる取付枠と、前記取付枠内に取り付けられる機能ユニットとを備え、各コンクリートブロックは、左右の端部の一方又は両方に、凹部を有し、前記取付枠は、左右一対の縦枠と、上下一対の横枠とを有し、左右一対の前記縦枠はそれぞれ、左右方向の外側に向けて突出する複数の突出部を有し、前記複数の突出部は、前後に離れて位置し、且つ少なくともその先部分が前記凹部内に位置し、前後に隣接する前記突出部間に、前記鉄筋が配されることを特徴とする。
また、上記課題を解決するために本発明の他の機能ユニットの取付構造は、複数のコンクリートブロックを上下左右に目地材を介して積み重ね、左右に並ぶ前記コンクリートブロック間に鉄筋を配して形成される壁体と、前記壁体の一部に組み込まれる取付枠と、前記取付枠内に取り付けられる機能ユニットとを備え、前記取付枠は、左右一対の縦枠と、上下一対の横枠とを有し、左右一対の前記縦枠はそれぞれ、左右方向の外側に向けて突出する複数の突出部を有し、前記複数の突出部は、前後に離れて位置し、前後に隣接する前記突出部間に、前記鉄筋が配され、前記突出部は、前記縦枠の一部を左右方向の外側に向けて突出するように折り曲げた形状であり、前記取付枠内に取り付けた前記機能ユニットと前記突出部との間に、電線を挿通可能な空間が設けられることを特徴とする。
【発明の効果】
【００１０】
本発明の機能ユニットの取付構造では、郵便受け等の機能ユニットが取り付けられる取付枠を、コンクリートブロックの積み上げと同様の施工で、コンクリートブロックで形成される壁体に組み込むことができる。
【図面の簡単な説明】
【００１１】
【図１】本発明の一実施形態の機能ユニットの取付構造を示す斜視図であり、一部のコンクリートブロックと目地材の図示を省略した図である。
【図２】同上の機能ユニットの取付構造が備える取付枠の斜視図である。
【図３】同上の機能ユニットの取付構造を示す斜視図であり、一部のコンクリートブロックと一部の目地材と表カバーの図示を省略した図である。
【図４】同上の機能ユニットの取付構造を示し、図１のＡ−Ａ´における平断面図である。
【発明を実施するための形態】
【００１２】
以下、本発明の実施形態について添付図面に基づいて説明する。
【００１３】
本発明の一実施形態の機能ユニットの取付構造は、図１に示すように、複数のコンクリートブロック１０（以下「ブロック１０」と記載する）で形成される壁体１と、壁体１の一部に組み込まれる取付枠２と、取付枠２内に取り付けられる機能ユニットとを備える。本実施形態の機能ユニットの取付構造は、取付枠２を覆い隠す一対の表カバー４と裏カバー５とを更に備える。以下では、図１に示す状態を基準として、図１の矢印Ｘ１で示す向きを前方とし、その反対の向きを後方とし、矢印Ｙ１で示す向きを右方とし、その反対の向きを左方とし、矢印Ｚ１で示す向きを上方とし、その反対の向きを下方として、各構成について説明する。
【００１４】
壁体１は、複数のブロック１０を上下左右に目地材１４を介して積み重ね、左右に並ぶブロック１０間に鉄筋１１を配して形成される。鉄筋１１は、上下方向を長手方向とする棒状体であり、その下端部が、例えば、ベースとなる鉄板の上面に溶着等で固定されている。なお、鉄筋１１は、その下端部が、基礎に埋め込まれて固定されたものであってもよい。鉄筋１１の上下長さは、本実施形態では、５段のブロック１０の上下長さと略同じである。ここで、５段のブロック１０の上下長さとは、各ブロック１０間に充填される目地材１４の上下厚みも含めた長さである。なお、鉄筋１１の上下長さは、壁体１の上下長さ（つまり、６段のブロック１０の上下長さ）と略同じであってもよい。目地材１４は、モルタル等であり、硬化することによって、各ブロック１０と鉄筋１１とを一体化させる。
【００１５】
ブロック１０は、例えば、ＪＩＳ  Ａ５４０６等に規定されているコンクリートブロックである。各ブロック１０は、左右の端部のうち一方または両方に凹部１２を有し、左右方向の中央部に空洞部１３を有する。凹部１２と空洞部１３は、ブロック１０を上下方向に貫通する。凹部１２は、左右方向の外側に向けて開口する。凹部１２と空洞部１３はそれぞれ、ブロック１０の厚み方向（前後方向）の中央部に位置する。凹部１２は、平断面形状が略Ｕ字状であり、空洞部１３は、平断面形状が略矩形状である。
【００１６】
本実施形態では、複数のブロック１０は、左右の端部にそれぞれ凹部１２を有する基本ブロック１００と、左右の端部のうち一方の端部にのみ凹部１２を有する隅用ブロック１０１とで構成される。基本ブロック１００は、壁体１の左右方向の中央部を構成し、隅用ブロック１０１は、壁体１の左右方向の両端部を構成する。基本ブロック１００は、左右方向に並ぶ３つの空洞部１３を有する。隅用ブロック１０１は、空洞部１３を１つ有する。隅用ブロック１０１の左右幅は、基本ブロック１００の左右幅の略半分である。
【００１７】
壁体１を形成する複数のブロック１０は、本実施形態では、１列の基本ブロック１００と、その左右にそれぞれ１列ずつ位置する隅用ブロック１０１とで構成される。なお、壁体１を形成する複数のブロック１０は、複数列の基本ブロック１００と、その左右にそれぞれ１列ずつ位置する隅用ブロック１０１とで構成されるものであってもよいし、複数列の基本ブロック１００のみで構成されるものであってもよい。
【００１８】
壁体１の前後左右の面には、必要に応じて、モルタルや塗料の塗布等の仕上げ施工がなされる。また、壁体１上には、必要に応じて、かさ木が取り付けられる。
【００１９】
取付枠２は、壁体１の一部に組み込まれる。詳しくは、複数のブロック１０を上下左右に積み重ねていく際に、一部のブロック１０の代わりに取付枠２を配置することによって、取付枠２は壁体１の一部に組み込まれる。取付枠２のサイズは、ブロック１０の整数倍と略同じである。本実施形態では、取付枠２は、上下に積み上げた３段の基本ブロック１００の上下長さ及び左右幅及び前後厚みと略同じサイズである。なお、取付枠２は、上記のサイズに限定されるものではない。例えば、取付枠２は、上下に３段、左右に２列の計６つの基本ブロック１００の上下長さ及び左右幅及び前後厚みと略同じサイズであってもよいし、これ以外のサイズであってもよい。なお、３段の基本ブロック１００の上下長さとは、各基本ブロック１００間に充填される目地材１４の上下厚みも含めた長さである。
【００２０】
取付枠２について更に詳しく説明する。取付枠２は、図２に示すように、前方から視て略矩形状の枠体であり、左右一対の縦枠６と、上下一対の横枠７とを有する。
【００２１】
左右一対の縦枠６はそれぞれ、左右方向の外側に向けて突出する複数（本実施形態では２つ）の突出部６０を有する。各突出部６０は、縦枠６に上下方向に亘って位置する。複数の突出部６０は、前後に離れて位置する。前後に隣接する突出部６０間には、鉄筋１１が配される空間Ｓ１が設けられる。本実施形態では、各突出部６０は、縦枠６の一部を左右方向の外側に向けて突出するように折り曲げた形状である。そのため、取付枠２内に取り付けた機能ユニットと各突出部６０との間には、機能ユニットに接続される電線９を挿通可能な空間Ｓ２が設けられる。
【００２２】
各突出部６０は、平断面形状が略Ｖ字状であり、前壁部６００と後壁部６０１と先端壁部６０２とを有する。前壁部６００と後壁部６０１と先端壁部６０２はそれぞれ、平板状である。前壁部６００は、左右方向の外側ほど後方に位置するように、左右方向に対して傾いており、後壁部６０１は、左右方向の外側ほど前方に位置するように、左右方向に対して傾いている。先端壁部６０２は、前後方向を幅方向とする平板状であり、前端部が前壁部６００の左右方向の外側の端部に連続し、後端部が後壁部６０１の左右方向の外側の端部に連続する。なお、先端壁部６０２は、前後幅の短いものであってもよく、すなわち、略線状であってもよい。また、各突出部６０は、前壁部６００と後壁部６０１とが平行なものや、前壁部６００と後壁部６０１とが左右方向の外側ほど離れるように傾いたものであってもよい。
【００２３】
各縦枠６は、各突出部６０の前後にそれぞれ、平坦部６１を有する。平坦部６１は、前後方向を幅方向とし、上下方向を長さ方向とし、左右方向を厚み方向とする平板状である。本実施形態では、各縦枠６は、３つの平坦部６１を有する。各平坦部６１は、前後に離れて位置する。各平坦部６１はそれぞれ、前壁部６００の左右方向の内側の端部、または後壁部６０１の左右方向の内側の端部、またはその両方に連続する。各平坦部６１と各先端壁部６０２は、平行である。なお、各平坦部６１は、前後幅が短いものであってもよく、すなわち、略線状であってもよい。
【００２４】
各縦枠６は、前後の端部にそれぞれ、左右方向の外側に向けて突出する突片６２を更に有する。各突片６２は、縦枠６に上下方向に亘って位置する。前後一対の突片６２は、突出長さが互いに同じであり、互いに平行である。各突片６２の突出長さ（左右方向の長さ）は、各突出部６０の突出長さ（左右方向の長さ）よりも短い。各突出部６０のうち、各突片６２よりも左右方向の外側に位置する部位の長さは、ブロック１０の凹部１２の深さ（左右方向の長さ）よりも短い。
【００２５】
各縦枠６には、前側から順に、突片６２、平坦部６１、突出部６０、平坦部６１、突出部６０、平坦部６１、突片６２が並ぶ。また、各突出部６０では、前壁部６００、先端壁部６０２、後壁部６０１が、前側から順に並ぶ。
【００２６】
縦枠６は、例えば、１枚の鋼板を折り曲げ加工することによって形成される。なお、縦枠６は、鋳造や溶接により、折り曲げ加工後の形と同じ形状に形成してもよい。つまり、縦枠６の一部を左右方向の外側に向けて突出するように折り曲げた形状の突出部６０とは、折り曲げ加工に限らず、鋳造や溶接によって形成した突出部６０も含む。
【００２７】
上下一対の横枠７はそれぞれ、上下方向に貫通する貫通孔７０を有する。各横枠７は、左右に並ぶ複数の貫通孔７０を有する。各貫通孔７０は、取付枠２の上下に隣接して配されるブロック１０（基本ブロック１００）の各空洞部１３に対して、上下方向に並ぶ位置に配される。本実施形態では、各横枠７は、左右方向に並ぶ３つの貫通孔７０を有する。各貫通孔７０の孔縁には、上下方向の外側に向けて突出する筒状の立ち上がり部７１が設けられる。
【００２８】
各横枠７は、前後の端部にそれぞれ、上下方向の外側に向けて突出する突出片７２を更に有する。各突出片７２は、横枠７に左右方向に亘って位置する。横枠７は、例えば、１枚の鋼板を折り曲げ加工等することによって形成される。
【００２９】
上下一対の横枠７は、その左右の端部が、溶接や接着やリベット固定等によって、左右一対の縦枠６の上下の端部にそれぞれ固定される。
【００３０】
本実施形態では、各横枠７の左右の端部の形状は、縦枠６の平断面形状に対応して、略Ｗ字状である。つまり、各横枠７は、その左右の端部にそれぞれ、縦枠６の各突出部６０の内側に合致する形状の差し込み部７３を複数（本実施形態では２つ）有する。各差し込み部７３は、左右方向の外側に向けて突出する。上下一対の横枠７は、各差し込み部７３を各突出部６０の内側に合致させた状態で、左右一対の縦枠６の上下の端部にそれぞれ固定される。このとき、各横枠７の突出片７２の先端と、各縦枠６の上下端とが略面一となるように、各横枠７は各縦枠６に固定される。これにより、取付枠２の上面と下面は、周方向に亘って縁が上下方向の外側に突出した形状となる。
【００３１】
各横枠７の各貫通孔７０は、蓋８を装着することで塞ぐことが可能である。例えば、上側に配される横枠７は、その上方に配されるブロック１０との間に充填される目地材１４が各貫通孔７０を通じて取付枠２の内側の空間に流れ込まないように、各貫通孔７０に蓋８が装着される。なお、上側に配される横枠７は、貫通孔７０を有さないものであってもよい。
【００３２】
取付枠２内には、機能ユニットが着脱自在に取り付けられる。機能ユニットは、郵便受け３、カメラ付きインターホン、照明装置、表札、電気自動車の充電装置、宅配便を受け取るロッカー、食材等を受け渡しする保温・保冷ロッカー等の各機器から選択される任意の組み合せである。機能ユニットは、各機器を一体化したものであってもよい。なお、機能ユニットは、上記の各機器の中の１つだけであってもよい。
【００３３】
本実施形態では、機能ユニットは、郵便受け３である。郵便受け３は、図１及び図３に示すように、矩形箱状の収納部３０と、収納部３０の前面の上端部から前方に突出する投函部３１と、収納部３０の後面に設けられる取出し口を開閉する開閉蓋（図示せず）とを有する。投函部３１には、郵便物が投函される投函口が設けられている。郵便受け３は、収納部３０の内部や投函口等を照らす照明器具（図示せず）を更に有する。
【００３４】
本実施形態では、郵便受け３は、収納部３０の左右幅が、右側の縦枠６の平坦部６１と左側の縦枠６の平坦部６１間の距離よりも若干短く、且つ収納部３０の上下長さが、上下に並ぶ２段の基本ブロック１００の上下長さと略同じである。なお、２段の基本ブロック１００の上下長さとは、各基本ブロック１００間に充填される目地材１４の上下厚みも含めた長さである。郵便受け３は、収納部３０の上下長さが、基本ブロック１００の１個分の上下長さと略同じものや、基本ブロック１００の１．５個分の上下長さと略同じものであってもよい。郵便受け３のサイズは、使用者が用途に応じて、適宜選択可能である。
【００３５】
取付枠２を覆い隠す一対の表カバー４，裏カバー５はそれぞれ、矩形板状である。表カバー４は、取付枠２の前面に取り付けられ、裏カバー５は、取付枠２の後面に取り付けられる。表カバー４，裏カバー５のサイズはそれぞれ、郵便受け３のサイズと配置に対応している。
【００３６】
続いて、本実施形態の機能ユニットの取付構造の施工手順の一例について説明する。以下では、機能ユニットとして、郵便受け３のみを取り付ける場合の施工手順の一例について説明する。
【００３７】
まず、ベースとなる鉄板や基礎等に垂直に設けられた２本の鉄筋１１が、左右に隣接するブロック１０間に位置するように、複数のブロック１０を上下に２段、左右に３列積み重ねる。詳しくは、基本ブロック１００を２本の鉄筋１１間に２段積み上げ、その左右両側にそれぞれ隅用ブロック１０１を２段積み上げる。このとき、上下方向及び左右方向に隣接する各ブロック１０間には目地材１４を充填して、各ブロック１０と鉄筋１１とを一体化させる。ここで、ベースとなる鉄板や基礎等から引き出した電線９を、１段目と２段目の基本ブロック１００の空洞部１３の１つに通して、この電線９を２段目の基本ブロック１００の上方に引き出す。電線９は、一端（下端）が電力供給源に接続されている。
【００３８】
次いで、２段目の基本ブロック１００上に目地材１４を塗り付け、その上に取付枠２を上方から落とし込んで積み重ねる。このとき、２段目の基本ブロック１００の空洞部１３から上方に引き出された電線９を、下側に位置する横枠７の貫通孔７０の１つを通じて、取付枠２内に導入する。取付枠２を２段目の基本ブロック１００上に積み重ねた状態で、２本の鉄筋１１はそれぞれ、各縦枠６の２つの突出部６０間の空間Ｓ１に配される。ここで、２本の鉄筋１１はそれぞれ、各縦枠６の長手方向に亘って、空間Ｓ１に位置する。本実施形態では、各鉄筋１１の先端（上端）の位置は、各縦枠６の上端の位置と略同じである。
【００３９】
次いで、取付枠２の左右においてそれぞれ、２段目の隅用ブロック１０１上に目地材１４を塗り付け、その上に隅用ブロック１０１を３段、目地材１４を間に充填しながら積み上げる。このとき、各縦枠６の２つの突出部６０はそれぞれ、その先部分が、図４に示すように、取付枠２の左右の３段の隅用ブロック１０１の凹部１２内に位置する。またこのとき、各縦枠６の前後２つの突片６２が、取付枠２の左右の３段の隅用ブロック１０１の側面の前端部（凹部１２よりも前側の部分）と後端部（凹部１２よりも後側の部分）に当たる。
【００４０】
次いで、取付枠２とその左右の３段の隅用ブロック１０１との間にそれぞれ目地材１４を充填し、取付枠２とその左右の３段の隅用ブロック１０１と左右２本の鉄筋１１とを一体化させる。このとき、取付枠２の上面（つまり、上側の横枠７の前後の突出片７２間の上面）とその左右の３段の隅用ブロック１０１の上面とは略面一となる。
【００４１】
次いで、取付枠２の上面（上側に位置する横枠７の前後の突出片７２間の上面）に目地材１４を塗り付け、その上に基本ブロック１００を積み上げる。このとき、基本ブロック１００は、上側に位置する横枠７の前後の突出片７２の先端（上端）上に載置される。ここで、上側に位置する横枠７の各貫通孔７０は全て、蓋８で塞いでおく。そして、５段目の左右の各隅用ブロック１０１上に、目地材１４を介して隅用ブロック１０１を積み上げる。そして、取付枠２上の基本ブロック１００と６段目の左右の隅用ブロック１０１との間に目地材１４を充填する。なお、本実施形態では、取付枠２上の基本ブロック１００と６段目の左右の隅用ブロック１０１との間には、鉄筋１１は存在しない。以上のようにして、３つの基本ブロック１００と左右６段ずつの隅用ブロック１０１と取付枠２と左右２本の鉄筋１１とが目地材１４を介して一体化した壁体１が形成される。
【００４２】
次いで、最上段に並ぶ３つのブロック１０上に、目地材１４を介してかさ木を設置する。なお、かさ木の設置は、省略可能である。
【００４３】
次いで、取付枠２の前面のうち、郵便受け３の投函部３１が配置される箇所よりも下方の部位に、表カバー４をネジ等で取り付ける。このとき、表カバー４は、その前面が周囲のブロック１０の前面と略面一となる。また、表カバー４は、上下方向において、投函部３１の下端が位置する予定の箇所から取付枠２の前面の下端（つまり下側の横枠７の前側の突出片７２の下端）までを覆う。また、表カバー４は、左右方向において、取付枠２の前面の左端から右端（つまり右側の縦枠６の前側の突片６２の右端から左側の縦枠６の前側の突片６２の左端）までを覆う。
【００４４】
次いで、壁体１の前後左右の面全体と、表カバー４の前面全体に、モルタル等を塗布し、その上から塗料を塗布する。
【００４５】
次いで、取付枠２の後方から、取付枠２内に郵便受け３を挿入し、投函部３１を、表カバー４と取付枠２の上側の横枠７の間に位置させた状態で、郵便受け３を取付枠２内に取り付ける。例えば、収納部３０の上面を上側の横枠７の下面に当てた状態で、収納部３０の内側から収納部３０の左右の側面にねじ等を打ち込んで、収納部３０の左右の側面を、左右の縦枠６の平坦部６１に固定する。ここで、郵便受け３を取付枠２内に固定する前に、必要あれば、取付枠２内に導入した電線９を、郵便受け３と縦枠６の突出部６０との間の空間Ｓ２に挿通させて、電線９を郵便受け３の側方や上方へ導く。そして、郵便受け３の上部や側部にある照明器具のコネクタに電線９を接続する。なお、照明器具のコネクタが郵便受け３の下部にある場合には、取付枠２内に導入した電線９は、空間Ｓ２内を挿通させることなく、コネクタに接続するようにしてもよい。
【００４６】
次いで、取付枠２の後面のうち、収納部３０よりも下方の部位に裏カバー５をねじ等で取り付けて、取付枠２内の下方の空きスペースを、裏カバー５で覆い隠す。
【００４７】
次いで、取付枠２と郵便受け３との間や、郵便受け３と各カバー４，５との間に隙間がある場合には、隙間カバー（図示せず）を取り付けて、その隙間を埋める。
【００４８】
以上のような施工手順で施工することで、図１に示す本実施形態の機能ユニットの取付構造が形成される。
【００４９】
なお、上述した施工手順では、機能ユニットとして郵便受け３のみを取り付ける例について説明したが、取付枠２内の郵便受け３の下方のスペースには、その他の各機器を追加で取り付け可能である。その場合、取付枠２から裏カバー５を取り外すことによって、各機器は取付枠２内に取り付け可能である。このとき、電線９は、各機器と突出部６０との間の空間Ｓ２に配線可能である。
【００５０】
また、上述した施工手順では、取付枠２内に郵便受け３を上側に寄せて配する例について説明したが、郵便受け３は、取付枠２内の上下方向の中央部に配するようにしてもよいし、取付枠２内の下側に寄せて配するようにしてもよい。その場合、取付枠２内には、郵便受け３の上方にスペースができ、このスペースにその他の各機器が取り付け可能である。またこの場合、表カバー４は、郵便受け３の配置に対応して、投函部３１の上方や下方を覆い隠し、裏カバー５は、郵便受け３とその他の機器の配置に対応して、収納部３０の上方や下方を覆い隠す。
【００５１】
なお、壁体１は、上下に並ぶブロック１０間や、上下に並ぶブロック１０と取付枠２との間に、左右方向を長手方向とする他の鉄筋を更に配して形成してもよい。
【００５２】
以上説明した本実施形態の機能ユニットの取付構造は、下記の構成を備えることを特徴とする。
【００５３】
すなわち、本実施形態の機能ユニットの取付構造は、壁体１と、壁体１の一部に組み込まれる取付枠２と、取付枠２内に取り付けられる機能ユニット（郵便受け３等）とを備える。壁体１は、複数のコンクリートブロック１０を上下左右に目地材１４を介して積み重ね、左右に並ぶブロック１０間に鉄筋１１を配して形成される。取付枠２は、左右一対の縦枠６と、上下一対の横枠７とを有する。左右一対の縦枠６はそれぞれ、左右方向の外側に向けて突出する複数の突出部６０を有し、複数の突出部６０は、前後に離れて位置し、前後に隣接する突出部６０間に、鉄筋１１が配される。
【００５４】
以上のような構成とすることで、本実施形態の機能ユニットの取付構造では、複数のブロック１０を積み重ねる際に、一部のブロック１０の代わりに取付枠２を積み重ねても、取付枠２の縦枠６が有する突出部６０間に、鉄筋１１を配することができる。また、本実施形態の機能ユニットの取付構造では、取付枠２とその横に並ぶブロック１０との間に充填される目地材１４が突出部６０間に入り込むことによって、取付枠２とその横のブロック１０と鉄筋１１とを一体化することができる。すなわち、本実施形態の機能ユニットの取付構造では、取付枠２を、コンクリートブロック１０の積み上げと同様の施工で、コンクリートブロック１０で形成される壁体１に組み込むことができる。加えて、本実施形態の機能ユニットの取付構造では、取付枠２の縦枠６が有する突出部６０間に鉄筋１１が配されることによって、取付枠２の壁体１への取付強度を高めることができる。
【００５５】
また、本実施形態の機能ユニットの取付構造は、上記の構成に加えて、更に下記の構成を有する。なお、下記の構成は、付加的な構成である。
【００５６】
本実施形態の機能ユニットの取付構造では、各ブロック１０は、左右の端部の一方又は両方に、凹部１２を有する。複数の突出部６０は、少なくともその先部分が凹部１２内に位置する。
【００５７】
このように、本実施形態の機能ユニットの取付構造では、取付枠２の縦枠６が有する突出部６０の先部分が、その横のブロック１０の凹部１２に入り込むことで、取付枠２の壁体１への取付強度を更に高めることができる。
【００５８】
また、本実施形態の機能ユニットの取付構造は、上記の各構成に加えて、更に下記の構成を有する。なお、下記の構成は、付加的な構成である。
【００５９】
本実施形態の機能ユニットの取付構造では、左右一対の縦枠６は、それぞれの前後の端部に、左右方向の外側に向けて突出した突片６２を有する。
【００６０】
このような構成とすることで、本実施形態の機能ユニットの取付構造では、取付枠２とその横に配されるブロック１０との間に充填される目地材１４が、前後に漏れ出すことを突片６２によって抑制できる。
【００６１】
また、本実施形態の機能ユニットの取付構造は、上記の各構成に加えて、更に下記の構成を有する。なお、下記の構成は、付加的な構成である。
【００６２】
本実施形態の機能ユニットの取付構造では、各突出部６０は、縦枠６の一部を左右方向の外側に向けて突出するように折り曲げた形状であり、取付枠２内に取り付けた機能ユニットと突出部６０との間に、電線９を挿通可能な空間Ｓ２が設けられる。
【００６３】
このような構成とすることで、本実施形態の機能ユニットの取付構造では、機能ユニットを取付枠２の縦枠６に当てて又は近接させて配置した場合でも、機能ユニットと縦枠６との間に、電線９を挿通するためのスペースを確保することができる。これにより、本実施形態の機能ユニットの取付構造では、機能ユニットの仕様に合わせた電線９の配線が行いやすい。
【００６４】
また、本実施形態の機能ユニットの取付構造は、上記の構成に加えて、更に下記の構成を有する。なお、下記の構成は、付加的な構成である。
【００６５】
本実施形態の機能ユニットの取付構造では、上下一対の横枠７の一方又は両方は、電線９を挿通可能な貫通孔７０を有する。
【００６６】
このような構成とすることで、本実施形態の機能ユニットの取付構造では、ブロック１０から取付枠２内へ、横枠７の貫通孔７０を通して電線９を導入することができる。これにより、本実施形態の機能ユニットの取付構造では、前記の導入の際に、電線９が外部に露出することを抑制できる。
【００６７】
また、本実施形態の機能ユニットの取付構造では、縦枠６に突出部６０と突片６２を設けて、縦枠６の平断面形状をジグザク形状としたことで、取付枠２にかかる上方からの荷重に対する強度を強化することができる。
【００６８】
また、本実施形態の機能ユニットの取付構造では、横枠７の貫通孔７０の周縁部に上下方向の外側に向けて突出する筒状の立ち上がり部７１を設けたことで、目地材が貫通孔７０を介して取付枠２の内側に入り込むことを立ち上がり部７１によって抑制できる。
【００６９】
なお、上述した実施形態では、各突出部６０として、縦枠６の一部を折り曲げた形状のものを例として説明したが、各突出部６０は、縦枠６の左右方向の外側に、溶着や接着により取り付けたものであってもよい。
【００７０】
また、上述した実施形態では、各突出部６０を、その先部分が、ブロック１０の凹部１２内に位置するように設けた例として説明したが、各突出部６０は、その先部分が、鉄筋１１の前後に位置すればよく、ブロック１０の凹部１２内まで突出していなくてもよい。
【００７１】
また、上述した実施形態では、各縦枠６の前後の端部に突片６２を設けた例について説明したが、各縦枠６は、突片６２を有していないものであってもよい。同様に、各横枠７は、突出片７２を有していないものであってもよい。
【００７２】
また、上述した実施形態では、各横枠７に貫通孔７０を設けた例について説明したが、各横枠７は、貫通孔７０を有していないものであってもよい。
【００７３】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００７４】
１      壁体
２      取付枠
６      縦枠
７      横枠
９      電線
１０    コンクリートブロック
１１    鉄筋
１２    凹部
１４    目地材
６０    突出部
６２    突片
７０    貫通孔
Ｓ２    空間
【図１】
0006432819.tif 000002
【図２】
0006432819.tif 000003
【図３】
0006432819.tif 000004
【図４】
0006432819.tif 000005